(57)【要約】  部品点数の増大を可及的に抑制しながら、光出射窓に取り付けられて光源の出射光を透過させる透光板を的確に保持できるようにする光照射装置であり、光源６の出射光が、光出射窓１０から装置筐体外へ出射するのを許容する状態と阻止する状態とに切り換えるシャッタ４ａを有するシャッタユニット４が配置されている光照射装置において、光出射窓１０に取り付けられて光源６の出射光を透過させる透光板１１が、シャッタユニット４にて位置規制されている。
2012128351.tif 000002
【特許請求の範囲】
【請求項１】
光源と、前記光源の出射光を装置筐体外へ出射する光出射窓と、前記光出射窓に取り付けられて前記光源の出射光を透過させる透光板と、前記光源の出射光が前記光出射窓から出射するのを許容する状態と前記光出射窓から出射するのを阻止する状態とに切り換えるシャッタを有するシャッタユニットとが備えられた光照射装置であって、
前記透光板が、前記シャッタユニットにて位置規制されている光照射装置。
【請求項２】
前記透光板は、前記シャッタユニットの前記装置筐体からの離脱操作によって、前記装置筐体から離脱可能に構成されている請求項１記載の光照射装置。
【請求項３】
前記透光板は、前記シャッタユニットに備えられる板部材にて位置規制されている請求項１又は２記載の光照射装置。
【請求項４】
前記シャッタユニットに、前記光出射窓が形成された側板と、前記シャッタユニットを通過する光が前記シャッタユニットから漏れ出るのを抑制する遮光板とが備えられ、
前記透光板は、前記側板と前記遮光板と前記装置筐体の側面とによって位置規制されている請求項３記載の光照射装置。
【請求項５】
前記装置筐体の側面に、前記シャッタユニットの前記側板と前記透光板とを重ね合わせた状態で、前記透光板の平坦面の法線方向と前記装置筐体の側面の法線方向とで前記透光板の位置を規制する段差部が形成されている請求項４記載の光照射装置。
【請求項６】
前記装置筐体の側面が、前記光出射窓が形成された前記シャッタユニットの前記側板と略直交する姿勢で配置されている請求項４又は５記載の光照射装置。
【請求項７】
前記遮光板が、前記シャッタユニットにおける前記シャッタの側脇に配置されている請求項４〜６のいずれか１項に記載の光照射装置。
【請求項８】
前記遮光板が、前記装置筐体の側面及び前記透光板と略直交する姿勢で配置されている請求項４〜７のいずれか１項に記載の光照射装置。
【請求項９】
前記装置筐体の側面が、互いに略平行に配置される一対の板状体で構成されている請求項４〜８のいずれか１項に記載の光照射装置。
【請求項１０】
前記一対の板状体は、設定方向の各位置で同一断面形状を有する部材として構成されている請求項９記載の光照射装置。 
【請求項１１】
前記光源が、紫外線ランプである請求項１〜１０のいずれか１項に記載の光照射装置。
【請求項１２】
前記光源が、可視光ランプである請求項１〜１０のいずれか１項に記載の光照射装置。
【発明の詳細な説明】
【技術分野】
【０００１】
本発明は、光源と、前記光源の出射光を装置筐体外へ出射する光出射窓と、前記光出射窓に取り付けられて前記光源の出射光を透過させる透光板と、前記光源の出射光が前記光出射窓から出射するのを許容する状態と前記光出射窓から出射するのを阻止する状態とに切り換えるシャッタを有するシャッタユニットとが備えられた光照射装置に関する。
【背景技術】
【０００２】
かかる光照射装置の１例である紫外線照射装置は、インクジェットプリント装置における塗布したインクの硬化乾燥処理や、半導体素子の処理工程、更には、各種の部材の洗浄工程等の多様な用途で用いられている。
この光照射装置の基本構成としては、装置筐体内に紫外線ランプを備え、その紫外線ランプの出射紫外線を、装置筐体の１側面に形成した紫外線出射窓から出射して処理対象物に照射する。
紫外線出射窓には、紫外線を透過させる透光板が備えられる。
紫外線出射窓における透光板の取り付け形態は、例えば、下記特許文献１に記載のように、透光板を保持するための専用の保持具を備え、紫外線出射窓を形成した装置筐体側面に対して、その保持具にて透光板を押圧する構成が一般的である。
【先行技術文献】
【特許文献】
【０００３】
【特許文献１】特開２００５−８１７３８号公報
【発明の概要】
【発明が解決しようとする課題】
【０００４】
しかしながら、上記構成では、透光板を的確に保持できるものの、透光板の保持のために格別の部品が必要となって、紫外線照射装置を構成する部品の部品点数の増大を招くことになってしまう。
本発明は、かかる実情に鑑みてなされたものであって、その目的は、部品点数の増大を可及的に抑制しながら、透光板を的確に保持できるようにする点にある。
【課題を解決するための手段】
【０００５】
本出願の第１の発明は、光源と、前記光源の出射光を装置筐体外へ出射する光出射窓と、前記光出射窓に取り付けられて前記光源の出射光を透過させる透光板と、前記光源の出射光が前記光出射窓から出射するのを許容する状態と前記光出射窓から出射するのを阻止する状態とに切り換えるシャッタを有するシャッタユニットとが備えられた光照射装置において、前記透光板が、前記シャッタユニットにて位置規制されている。【０００６】
すなわち、紫外線出射窓に備えられる透光板の位置規制のために、格別の専用部品を備えるのではなく、紫外線照射装置に本来的に備えられるシャッタユニットを合理的に配置して、透光板の位置規制を行わせる。【０００７】
又、本出願の第２の発明は、上記第１の発明の構成に加えて、前記透光板は、前記シャッタユニットの前記装置筐体からの離脱操作によって、前記装置筐体から離脱可能に構成されている。
すなわち、シャッタユニットを装置筐体から離脱させる操作を行うことによって、透光板も装置筐体から離脱させることができ、透光板のメンテナンスを容易に行うことができる。【０００８】
又、本出願の第３の発明は、上記第１又は第２の発明の構成に加えて、前記透光板は、前記シャッタユニットに備えられる板部材にて位置規制されている。
従って、シャッタユニットを構成する板部材にて的確に透光板を位置規制できる。【０００９】
又、本出願の第４の発明は、前記シャッタユニットに、前記光出射窓が形成された側板と、前記シャッタユニットを通過する光が前記シャッタユニットから漏れ出るのを抑制する遮光板とが備えられ、前記透光板は、前記側板と前記遮光板と前記装置筐体の側面とによって位置規制されている。
すなわち、透光板の位置規制のために、光出射窓を形成するシャッタユニットの側板を利用するのみならず、光照射装置の装置筐体を構成する側面も利用し、更には、シャッタユニットに備えられる遮光板をも利用する。
シャッタユニットには、光源から出射した光線が光出射窓から出射されるのを遮る本来の機能の他に、シャッタユニットを通過する光線が、装置筐体内の他の部分に漏れ出るのを極力抑制することも要求される。
そのため、シャッタユニットには上記遮光板が備えられ、この遮光板が、透光板の位置規制に利用される。【００１０】
又、本出願の第５の発明は、上記第４の発明の構成に加えて、前記装置筐体の側面に、前記シャッタユニットの前記側板と前記透光板とを重ね合わせた状態で、前記透光板の平坦面の法線方向と前記装置筐体の側面の法線方向とで前記透光板の位置を規制する段差部が形成されている。
すなわち、装置筐体の側面等が、光出射窓に備えられる透光板の位置を規制するための具体的な構成として、光出射窓を形成したシャッタユニットの側板と透光板とを重ね合わせた状態で、透光板の平坦面の法線方向と装置筐体の側面の法線方向とで透光板の位置を規制する段差部を、装置筐体の側面に形成する。【００１１】
又、本出願の第６の発明は、上記第４又は第５の発明の構成に加えて、前記装置筐体の側面が、前記光出射窓が形成された前記シャッタユニットの前記側板と略直交する姿勢で配置されている。
これは、装置筐体の側面と前記光出射窓を形成したシャッタユニットの側板との配置姿勢として、透光板の位置規制のために好ましい構成を示すものである。【００１２】
又、本出願の第７の発明は、上記第４〜第６のいずれかの発明の構成に加えて、前記遮光板が、前記シャッタユニットにおける前記シャッタの側脇に配置されている。
すなわち、遮光板をシャッタユニットの側脇に配置することにより、紫外線が、筐体内の他の部分に漏れ出るのをさらに抑制する好ましい構成を示すものである。【００１３】
又、本出願の第８の発明は、上記第４〜第７のいずれかの発明の構成に加えて、前記遮光板が、前記装置筐体の側面及び前記透光板と略直交する姿勢で配置されている。
これは、遮光板と装置筐体の側面と透光板との配置姿勢の好ましい構成を示すものである。【００１４】
又、本出願の第９の発明は、上記第４〜第８のいずれかの発明の構成に加えて、前記装置筐体の側面が、互いに略平行に配置される一対の板状体で構成されている。
これは、装置筐体の好ましい構成を示すものである。【００１５】
又、本出願の第１０の発明は、上記第９の発明の構成に加えて、前記一対の板状体は、設定方向の各位置で同一断面形状を有する部材として構成されている。
すなわち、透光板を位置規制する一対の板状体を上記のような形状とすることで、この一対の板状体を押出材として製作することが可能となる。
一対の板状体に、透光板を位置規制する上記段差部を形成するについては、板材の曲げ加工や、厚めの板材の切削加工等によっても形成できるのであるが、押出材として形成可能とすることで、製作コストを可及的に低減することができる。【００１６】
又、本出願の第１１の発明は、上記第１〜第１０の発明の構成に加えて、前記光源が、紫外線ランプである。
すなわち、本発明の光照射装置の光源には、紫外線ランプを用いることができる。【００１７】
又、本出願の第１２の発明は、上記第１〜第１０の発明の構成に加えて、前記光源が、可視光ランプである。
すなわち、本発明の光照射装置の光源には、可視光ランプを用いることができる。
【発明の効果】
【００１８】
上記第１の発明によれば、光照射装置に本来的に備えられる部品を合理的に配置して、透光板の位置規制を行わせるので、部品点数の増大を可及的に抑制しながら、透光板を的確に保持できるものとなった。
又、上記第２の発明によれば、透光板のメンテナンスを容易に行うことができる。
又、上記第３の発明によれば、透光板を的確に位置規制できる。
又、上記第４の発明によれば、シャッタユニットを構成する板部材にて的確に透光板を位置規制できるようにしながら、更に、シャッタユニットの側板に光出射窓を設けて、透光板の位置規制に用いる構成としたため、出射窓枠などの別部品を準備する必要もないし、出射窓枠を外すことなく、シャッタユニットを交換できる。
又、上記第５の発明によれば、装置筐体の側面に透光板の位置規制のための段差部を形成することで、構成の複雑化を回避しながら有効に透光板の位置規制を行える。【００１９】
又、上記第６の発明によれば、装置筐体の側面が光出射窓を形成したシャッタユニットの側板と略直行する姿勢で配置されているので、透光板の位置規制の設計が容易になる。
又、上記第７の発明によれば、遮光板が、シャッタユニットにおけるシャッタの側脇に配置されているので、光線が、筐体内の他の部分に漏れ出るのをさらに抑制することができる。
又、上記第８の発明によれば、遮光板が、装置筐体の側面及び透光板と略直交する姿勢で配置されているので、透光板の位置規制の設計が容易になる。
又、上記第９の発明によれば、装置筐体が、互いに略平行に配置される一対の板状体で構成されているので、さらに透光板の位置規制の設計が容易になる。
又、上記第１０の発明によれば、一対の板状体は、設定方向の各位置で同一断面形状を有する部材として構成されているので、一対の板状体を押出材にて形成可能とすることで、一対の板状体を透光板の位置規制のための形状に形成するについて、部品の製作コストを可及的に低減できる。
又、上記第１１の発明によれば、紫外線ランプを光源とする光照射装置において、簡素な構成で透光板を位置規制できる。
又、上記第１２の発明によれば、可視光ランプを光源とする光照射装置において、簡素な構成で透光板を位置規制できる。
【図面の簡単な説明】
【００２０】
【図１】図１は、本発明の実施の形態にかかる紫外線照射装置の内部構成を正面視で示す図である。
【図２】図２は、本発明の実施の形態にかかる紫外線照射装置の内部構成を側面視で示す図である。
【図３】図３は、本発明の実施の形態にかかる要部の部品配置を示す斜視図である。
【図４】図４は、本発明の実施の形態にかかる紫外線出射窓付近の拡大断面図である。
【発明を実施するための形態】
【００２１】
以下、本発明の光照射装置の実施の形態を図面に基づいて説明する。
本実施の形態の形態では、光照射装置として、紫外線ランプ６を光源として備えた紫外線照射装置ＵＲを例示する。
紫外線照射装置ＵＲは、業務用のインクジェットプリント装置のプリントヘッドに取り付けられて使用されるものであり、プリントヘッドを走査して画像を形成する際に、そのプリントヘッドと共に移動して、形成した画像のＵＶインクに紫外線を照射させることにより瞬時に硬化させ、乾燥させる。
【００２２】
図１には、紫外線照射装置ＵＲの装置筐体１の内部構造が示されている。紫外線照射装置ＵＲは、装置筐体１内に備えられる、送風ユニット２、ランプユニット３、シャッタユニット４、及び、排気ユニット５を主要部として構成されている。
これらのユニットは、ユニット同士が連結されているか、あるいは、図示を省略する固定部材によって装置筐体１内に固定されている。尚、図１は、正面視で内部構成を示すために部品の一部を適宜に切り欠いた状態を示している。
装置筐体１は、互いに平行姿勢で配置される一対の板状体を３組備えて、各組間で互いに板状体を直交する姿勢で配置することで、直方体形状に形成されている。
３組の板状体のうち、上下一対の板状体を天板２１及び底板２２と称し、左右一対の板状体を右側板２３及び左側板２４と称し、更に、残りの一対の板状体（図１では、紙面と平行になる）を正面側板２５及び裏面側板２６（図２参照）と称する。
【００２３】
送風ユニット２は、二重反転式ファンを備えて構成され、吸気側が装置筐体１の天板２１に形成された吸気口に近接して配置されている。
送風ユニット２は、二重反転式ファンの回転によって、装置筐体１の外部の空気を吸引し、装置筐体１の内部において下方側に向けて送風する。
排気ユニット５は、上下方向の通気経路を構成する排気用のダクトとして形成されている。当該ダクトは、装置筐体１の天板２１において吸気口と隣接して配置されている排気口の直下に位置し、装置筐体１内において送風ユニット２に隣接して配置されている。
排気ユニット５の最上部には、短冊状の金属板を正面視（図１参照）でくの字状に配置した遮光部材５ａが、横方向に複数個並べて配置されている。遮光部材５ａは、冷却風の通風を許容すると共に、ランプユニット３から漏れる紫外線が装置筐体１の外部に漏れ出るのを極力抑制する。
【００２４】
図１及び図２に示すように、ランプユニット３は、紫外線ランプ６と、反射ミラー７ａ，７ｂと、ミラーホルダ８ａ，８ｂとを主要部として構成されており、これらが、平面視で口の字状の枠体３ａに囲まれる状態で配置されている。
紫外線ランプ６は略棒状の外形形状を有し、反射ミラー７ａ，７ｂは紫外線ランプ６の出射紫外線（出射光）を装置筐体１の底板２２側に向けて集光する。又、ミラーホルダ８ａ，８ｂは反射ミラー７ａ，７ｂを夫々支持する。
図２（ａ）は、左側板２４を外した状態の紫外線照射装置ＵＲを左側板２４側から見た状態を示す側面図であり、図２（ｂ）は、図２（ａ）と同一方向視で、装置筐体１の幅方向中央付近での断面図である。図２（ｂ）では、図面を見易くするために、正面側板２５及び裏面側板２６等の細部においては、断面を示す斜線の表記を適宜に省略している。
【００２５】
図１において破線で示すように、紫外線ランプ６は、紫外線発光に寄与する部分が円筒形状で、全体として略棒状の外形形状を有している。紫外線ランプ６の長手方向両端部には、放電用の高電圧を印加するための一対の電極６ａ，６ｂが振り分けて配置され、その電極６ａ，６ｂは、板ばねにて形成される端子３ｃ，３ｄに支持されている。
紫外線ランプ６における電極６ａ，６ｂ付近は、ランプユニット３の枠体３ａを貫通して、ランプユニット３の外部へ突出している。
枠体３ａには、電極６ａ，６ｂ付近に覆い被さる姿勢で冷却風遮蔽部材９が取り付けられており、電極６ａを支持する端子３ｃは、その冷却風遮蔽部材９に取り付けられている。
冷却風遮蔽部材９は、送風ユニット２からの冷却風を遮って、紫外線ランプ６の電極６ａ付近が過度に冷却されてしまうのを防止するためのものである。
本実施の形態では、上述のように、紫外線照射装置ＵＲをインクジェットプリント装置のプリントヘッドに取り付ける関係で、装置構成の小型化が図られており、紫外線ランプ６も、発光長が２００ｍｍ以下の小型のものが使用されている。
【００２６】
シャッタユニット４は、紫外線ランプ６の出射紫外線をシャッタユニット４の直下に隣接して位置する紫外線出射窓（光出射窓）１０から装置筐体１の外部へ出射するか否かを切り換え操作するためのユニットである。
シャッタユニット４には、長方形の金属製の板材を浅い角度で３段に同側に屈曲させた形状のシャッタ４ａと、そのシャッタ４ａを開閉駆動するモータ４ｂとが主要部として備えられている。
シャッタ４ａは、平面視で略コの字状に作製された枠体４ｃ内の空間を可動範囲として配置されている。図３は枠体４ｃ及びシャッタ４a等を抜き出した概略の説明図である。図３において２点鎖線で示す起立姿勢では、シャッタ４ａが枠体４ｃのコの字の開放側を塞ぐように位置する。
この起立姿勢のときが、シャッタ４ａが開いている状態であり、枠体４ｃと起立姿勢のシャッタ４ａとで囲まれる空間を、紫外線ランプ６から出射した紫外線が通過する。換言すると、シャッタ４ａが起立姿勢のときが、紫外線ランプ６の出射紫外線が紫外線出射窓１０から出射するのを許容する状態である。
【００２７】
枠体４ｃは、紫外線が装置筐体１内の他の部分へ漏れ出るのを抑制する遮光板として機能し、紫外線ランプ６の出射紫外線が通過する空間に面する側の枠体４ｃの各面は、鏡面仕上げが施されて、紫外線ランプ６から出射した紫外線の反射損失を抑制している。紫外線の通過空間側のシャッタ４ａの面も、上記と同様に鏡面仕上げが施されている。
【００２８】
モータ４ｂは、モータ保持板４６に支持されて、シャッタ４ａと枠体４ｃとで囲まれる空間の外側の送風ユニット２の下方側位置に配置されている。モータ４ｂの設置位置の上部には、モータ保持板４６が延出し、直上に位置する紫外線ランプ６の電極６ａ付近から漏れる紫外線で、モータ４ｂや関連部品の寿命が短くなってしまうのを防いでいる。
減速機を通したモータ４ｂの回転軸４１は、枠体４ｃを貫通して、シャッタ４ａの端部に取り付けられた固定部材４２に取り付けられている。
更に、固定部材４２の存在側と反対側の端部に取り付けられた固定部材４３にも回転軸４３ａが備えられ、回転軸４３ａは、枠体４ｃの縦壁を貫通して、回転軸保持板４４に固定された軸受け４５により回転自在に支持されている。
回転軸４１と回転軸４３ａとは共通の回転軸芯上に配置され、固定部材４２と固定部材４３とは起立姿勢のシャッタ４ａの下端付近に取り付けられて、モータ４ｂの駆動によってシャッタ４ａを遥動駆動する構成としている。
【００２９】
モータ４ｂの回転駆動によって、シャッタ４ａは、図２（ｂ）において実線で示す起立姿勢と、２点鎖線で示す略水平姿勢とに切り換え駆動される。
上述のように実線で示す起立姿勢が上述のようにシャッタ４ａの開き姿勢であり、シャッタ４ａは、この開き姿勢において、紫外線ランプ６の出射紫外線がシャッタユニット４の直下に位置する紫外線出射窓１０から装置筐体１の外部へ出射されるのを許容する。
一方、図２（ｂ）において２点鎖線で示す略水平姿勢がシャッタ４ａの閉じ姿勢であり、この閉じ姿勢では、シャッタ４ａが紫外線ランプ６側に向けて凸となる姿勢になっている。シャッタ４ａは、その閉じ姿勢において、紫外線ランプ６から出射した紫外線を遮って、紫外線出射窓１０から装置筐体１の外部へ紫外線が出射されるのを阻止する。  図１等に示すように、モータ保持板４６や枠体４ｃ等のシャッタユニット４の構成部品は底板２２上に固定支持されており、装置筐体１の一部を構成する底板２２は、シャッタユニット４の構成部品でもある。
【００３０】
紫外線出射窓１０は、装置筐体１の１側面をなすと共にシャッタユニット４の側板でもある底板２２に矩形開口として形成されている。尚、前記底板２２は、装置筐体１の１側面に限るものではなく、シャッタユニットの底板の１側面にするのが好ましい。紫外線出射窓１０には、紫外線と透過させる石英製の透光板１１が、紫外線出射窓１０を覆うように取り付けられている。
図４には、装置筐体１における底板２２付近の拡大断面が示されている。透光板１１は、装置筐体１を構成する一対の板状体である正面側板２５及び裏面側板２６の下端付近に形成されている段差部３１，３２の下向き面３１ａ，３２ａに対して、底板２２によって押し付けられる形で固定されている。
底板２２は、正面側板２５及び裏面側板２６の夫々において、上記段差部３１，３２に隣接して形成されている溝部３３，３４に、透光板１１の端部が嵌入する状態で保持されている。
【００３１】
正面側板２５と裏面側板２６とは何れも金属材料（具体的には、アルミニウム）の押出材として形成され、右側板２３の板面の法線方向における各位置で、正面側板２５及び裏面側板２６は同一断面形状を有している。又、正面側板２５と裏面側板２６とは対称の断面形状であり、同一の押出材を、向きを変えて配置して装置筐体１を構成できる。
底板２２は、透光板１１との間に薄い樹脂性のシートを挟んだ状態で、シャッタユニット４のフレームにネジ止め固定されている。透光板１１は、底板２２によって、上記の薄い樹脂性シートを介して上記段差部３１，３２に押し付けられるので、装置筐体１が高速移動する程度の通常の使用状態では、透光板１１が変位することはない。
但し、装置筐体１に想定外の外力等が作用して、透光板１１が変位する可能性もあるので、透光板１１が変位しても紫外線出射窓１０を確実に覆う状態を維持するように、透光板１１の変位を規制する構造としてある。
尚、底板２２が十分な強度を有する場合は、シャッタユニット４に別途フレームを設ける必要はなく、そのフレームへのネジ止めも必要ない。
【００３２】
すなわち、上下方向（天板２１と底板２２との並び方向）と前後方向（正面側板２５と裏面側板２６との並び方向）とにおいては、紫外線出射窓１０を形成した側面をなす底板２２と直交する姿勢で備えられる一対の板状体である正面側板２５と裏面側板２６とによって、透光板１１の存在位置を規制する。
正面側板２５及び裏面側板２６の段差部３１，３２は、この透光板１１の存在位置の規制のために形成されているもので、紫外線出射窓１０を形成した板材（底板２２）と透光板１１とを重ね合わせた状態で、透光板１１の平坦面の法線方向と一対の板状体である正面側板２５と裏面側板２６の並び方向（装置筐体１の側面をなす正面側板２５，裏面側板２６の法線方向）とで透光板１１の位置を規制する。
図４中の部分拡大図に示されるように、具体的には、上下方向（天板２１と底板２２との並び方向）では、上述のように、底板２２によって上記段差部３１，３２の下向き面３１ａ，３２ａで透光板１１を押し当てることで位置規制する。
図４に示すように、前後方向（正面側板２５と裏面側板２６との並び方向）では、上記段差部３１，３２の縦壁３１ｂ，３２ｂが、変位しようとする透光板１１の端縁に接当して、透光板１１の変位を規制する。
【００３３】
更に、左右方向（右側板２３と左側板２４との並び方向）では、シャッタユニット４の枠体４ｃが透光板１１の存在位置を規制する。
シャッタユニット４において、シャッタ４ａの側脇に位置して遮光板として機能する枠体４ｃの３つの縦壁面のうち、左右方向（右側板２３と左側板２４との並び方向）に並ぶ状態で位置する一対の縦壁５１，５２は、一対の板状体である正面側板２５及び裏面側板２６と直交し、且つ、透光板１１とも直交する配置となっており、透光板１１の位置規制にそのような位置関係を利用している。
透光板１１とシャッタユニット４の枠体４ｃとの位置関係は、図３の斜視図に示す通りであり、図３において矢印Ａで示す方向が右側板２３と左側板２４との並び方向となっている。
透光板１１は、矢印Ａで示す方向において、枠体４ｃにおける一対の縦壁５１，５２間に位置し、透光板１１の上面は、縦壁５１，５２の下端位置よりも上方側に位置するので、変位しようとする透光板１１の端縁に縦壁５１，５２が接当して、矢印Ａで示す方向での透光板１１の変位を規制する。
【００３４】
上記構成のシャッタユニット４を装置筐体１から離脱操作するときは、シャッタユニット４を、正面側板２５及び裏面側板２６の溝部３３，３４に沿ってスライド移動させる。このシャッタユニット４の離脱操作によって、透光板１１も装置筐体１から離脱させることができ、清掃作業等のメンテナンスを行える。
【００３５】
〔別実施形態〕
以下、本発明の別実施形態を列記する。
（１）上記実施の形態では、紫外線出射窓１０に取り付けられた透光板１１の存在位置の規制に寄与する一対の板状体である正面側板２５と裏面側板２６とを押出材として形成する場合を例示しているが、上記一対の板状体を、金属製の平板を用いて構成するものとして、上記の段差部３１，３２に相当する形状部分を曲げ加工等によって形成するようにしても良い。
（２）上記実施の形態では、紫外線出射窓１０に取り付けられた透光板１１の存在位置の規制に寄与する一対の板状体である正面側板２５と裏面側板２６とを、別部材として構成する場合を例示しているが、板材をコの字状に屈曲形成し、対向する２面を上記一対の板状体として配置するように構成しても良い。
（３）上記実施の形態では、一対の板状体の位置関係や、一対の板状体と底板２２との位置関係等を平行あるいは直交として説明しているが、実用的に平行あるいは直交と見なせるものであれば良く、その意味で略平行あるいは略直交であれば足りる。（４）上記実施の形態では、光源を紫外線ランプとしているが、これに限るものではなく、可視光ランプなど様々な光源に置き換えることもできる。
【符号の説明】
【００３６】
１          装置筐体
４          シャッタユニット
４ａ        シャッタ
６          紫外線ランプ
１０        紫外線出射窓
１１        透光板
３１，３２  段差部
５１，５２  遮光板
【図１】
2012128351.tif 000003
【図２】
2012128351.tif 000004
【図３】
2012128351.tif 000005
【図４】
2012128351.tif 000006
【国際調査報告】
2012128351.tif 000007
2012128351.tif 000008
2012128351.tif 000009
2012128351.tif 000010